(57)【要約】【課題】本発明の課題は、横置型圧縮機の取付構造に係わる部品等の容易な変更のみで圧縮機２台の間に存在するスペースを極力小さくして、冷凍・空調装置筐体内の圧縮機の占有配置領域を狭め、冷凍・空調装置筐体の小型省スペース化に有利な横置型圧縮機の取付構造を提供することにある。【解決手段】横置型圧縮機２台が、取付脚を共有する等の取付構造に係わる部品等の小変更で、圧縮機２台の冷凍・空調装置筐体内の占有領域を狭め、かつ組立作業性も向上させた。【選択図】  図１
2004360928.tif 000002
【特許請求の範囲】
【請求項１】
冷凍・空調装置の筐体の中に２台内臓された横置型圧縮機の取付構造において、第１の圧縮機に対して第２の圧縮機が水平方向横列式に配置され、取付脚を共有して第１の圧縮機と第２の圧縮機とが一体的に連結固定され、取付脚にバネ又はクッションゴム等による弾性支持部材を介在させて筐体の底板に取付設置されたことを特徴とする横置型圧縮機の取付構造。
【請求項２】
冷凍・空調装置の筐体の中に２台内臓された横置型圧縮機の取付構造において、第１の圧縮機と第２の圧縮機は各々独自に取付脚を具備し、第１の圧縮機は取付脚にバネ又はクッションゴム等による弾性支持部材を介在させて筐体の底板に取付設置され、第２の圧縮機は、取付脚にバネ又はクッションゴム等による弾性支持部材を介在させて、第１の圧縮機に対して垂直上方に背負い式に配置、取付設置されたことを特徴とする横置型圧縮機の取付構造。
【請求項３】
請求項１又は２において、冷凍・空調装置の能力、運転モードに対応して第１の圧縮機と第２の圧縮機の能力仕様が同一であることを特徴とする横置型圧縮機の取付構造。
【請求項４】
請求項１又は２において、冷凍・空調装置の能力、運転モードに対応して第１の圧縮機と第２の圧縮機の能力仕様が異なる能力仕様であることを特徴とする横置型圧縮機の取付構造。
【請求項５】
請求項１〜４において、圧縮する冷媒をＨＣＦＣ系冷媒、およびＨＣＦＣ系冷媒の代替冷媒であるＨＦＣ系冷媒か炭化水素、ＣＯ２、アンモニア等の自然系冷媒かの何れかを用いたことを特徴とする横置型圧縮機の取付構造。
【請求項６】
請求項１〜５の何れかに記載の横置型圧縮機の取付構造を採用した冷凍・空調システム。
【発明の詳細な説明】
【０００１】
【発明の属する技術分野】
本発明は、冷凍・空調装置の横置型圧縮機の取付構造に係り、特に、横置型圧縮機が２台内臓される際の冷凍・空調装置の圧縮機の取付構造に適用され、取付けが容易で圧縮機の設置面積の省スペース化に好適な横置型圧縮機の取付構造に関するものである。この冷凍・空調は、例えばエアコンディショナー、ヒートポンプ給湯機等である。
【０００２】
【従来の技術】
近年、冷凍サイクル装置の運転モードが多様化し、圧縮機の運転範囲も幅広い範囲で拡大する傾向にある中で、特に大能力を必要とされる冷凍サイクル装置においては、圧縮機を２台並用する冷凍・空調装置とすることで対応する場合がある。従来の冷凍・空調装置の横置型圧縮機の取付構造の一例について図３、図４、図５を参照して説明する。図３は従来の横置型圧縮機の取付構造を示す（Ｅ）正面図、（Ｆ）左側面図である。図４は図３の圧縮機を正面から見た取付構造部の部分断面図である。図５は図３および図４に示した従来の横置型圧縮機の取付構造にて、第１の圧縮機Ａと第２の圧縮機Ｂの圧縮機２台を水平方向横列に配置取付けした正面図である。
【０００３】
図３および図４において、横置型圧縮機の取付構造は、圧縮機１の外殻をなす密閉容器２に溶接具備された取付脚３が、圧縮機の振動緩和のためのバネ又はクッションゴム等による円筒状の弾性支持部材６を介在させ、冷凍・空調装置筐体側の底板４に溶接具備された固定支持棒５が、前記圧縮機１の取付脚３に設けられた取付孔３ａおよび前記弾性支持部材６に設けられた貫通孔６ａを挿入貫通することによって取付設置される。この時弾性支持部材６は、外周上に凹部６ｂと、凹部６ｂの上方に円錐状の角部６ｃが形成されており、この凹部６ｂおよび角部６ｃと圧縮機１の取付脚３の取付孔３ａに弾性的に挿入固定している。このような取付構造によって圧縮機１の振動を吸収緩和しながら、冷凍・空調装置筐体側の底板４に溶接具備された固定支持棒５によって圧縮機の取付設置位置を保持する。
【０００４】
このような取付構造をなす図５における第１の圧縮機Ａと第２の圧縮機Ｂの圧縮機２台を水平方向横列に配置取付けした場合、圧縮機２台が運転時に互いに干渉しないようにすること、さらに圧縮機を冷凍・空調装置筐体に取付設置する際の作業上の問題から、第１の圧縮機Ａおよび第２の圧縮機Ｂの取付脚３の間にスペースＣを確保しなければならない。よって前記圧縮機Ａ、Ｂの外殻をなす密閉容器２の間にはスペースＤが必然的に存在する。
【０００５】
【特許文献】
なし
【０００６】
【発明が解決しようとする課題】
このように横置型圧縮機２台を水平方向横列に配置した場合には、冷凍・空調装置筐体内の圧縮機の占有配置領域が大きくなり、冷凍・空調装置筐体内の圧縮機以外のサイクル部品の配置や設計上の拘束条件の一因となる。特に冷凍・空調装置筐体の小型省スペース化が求められるのは常であり、圧縮機２台の間に存在する前記スペースＤは、圧縮機の占有配置領域内において存在する余分なスペースとなる可能性がある。
【０００７】
本発明の目的は、上記問題点を横置型圧縮機の取付構造に係わる部品等の容易な変更のみで、圧縮機２台の間に存在するスペースを極力小さくして、冷凍・空調装置筐体内の圧縮機の占有配置領域を狭め、冷凍・空調装置筐体の小型省スペース化に有利な横置型圧縮機の取付構造を提供することにある。
【０００８】
【課題を解決するための手段】
上記目的を達成するために本発明は、冷凍・空調装置の筐体の中に２台内臓された横置型圧縮機の取付構造において、第１の圧縮機に対して第２の圧縮機が水平方向横列式に配置され、取付脚を共有して第１の圧縮機と第２の圧縮機とが一体的に連結固定され、取付脚にバネ又はクッションゴム等による弾性支持部材を介在させて筐体の底板に取付設置された圧縮機の取付構造としたものである。
【０００９】
また、本発明は第１の圧縮機と第２の圧縮機は各々独自に取付脚を具備し、第１の圧縮機は取付脚にバネ又はクッションゴム等による弾性支持部材を介在させて筐体の底板に取付設置され、第２の圧縮機は、取付脚にバネ又はクッションゴム等による弾性支持部材を介在させて、第１の圧縮機に対して垂直上方に背負い式に配置、取付設置された圧縮機の取付構造としたものである。
【００１０】
また、本発明は冷凍・空調装置の能力、運転モードに対応して第１の圧縮機と第２の圧縮機の能力仕様が同一である圧縮機の取付構造に適用されるものである。
【００１１】
また、本発明は冷凍・空調装置の能力、運転モードに対応して第１の圧縮機と第２の圧縮機の能力仕様が異なる能力仕様である圧縮機の取付構造に適用されるものである。
【００１２】
また、本発明は圧縮する冷媒をＨＣＦＣ系冷媒、およびＨＣＦＣ系冷媒の代替冷媒であるＨＦＣ系冷媒か炭化水素、ＣＯ２、アンモニア等の自然系冷媒かの何れかを用いた圧縮機の取付構造に適用されるものである。
【００１３】
また、本発明の圧縮機の取付構造を採用した冷凍・空調システムに適用されるものである。
【００１４】
【発明の実施の形態】
〔実施例１〕
以下、本発明の第１の実施例の形態を図１を用いて説明する。
【００１５】
図１は、本発明の第１の実施例に係わる横置型圧縮機２台を水平方向横列に配置し、圧縮機２台が取付脚を共有して一体的に連結固定された圧縮機の取付構造を示す（Ｅ）正面図、（Ｆ）左側面図である。
【００１６】
本実施例における横置型圧縮機２台の取付構造は、第１の圧縮機Ａと第２の圧縮機Ｂの外殻をなす密閉容器２に溶接具備された取付脚３を、前記圧縮機Ａ、Ｂの２台が共有して一体的に連結固定されている。冷凍・空調装置筐体側の底板４への取付設置は、従来の技術で説明した取付設置方法と同様で、第１の圧縮機Ａおよび第２の圧縮機Ｂの外殻をなす密閉容器２に圧縮機２台が共有して溶接具備された取付脚３が、圧縮機の振動緩和のためのバネ又はクッションゴム等による円筒状の弾性支持部材６を介在させ、冷凍・空調装置筐体側の底板４に溶接具備された固定支持棒５が、前記圧縮機Ａ、Ｂの取付脚３に設けられた取付孔３ａおよび前記弾性支持部材６に設けられた貫通孔６ａを挿入貫通することによって取付設置される。取付構造部の詳細は、従来の技術で説明した図４と同一である。従って第１の圧縮機Ａおよび第２の圧縮機Ｂの外殻をなす密閉容器２の間のスペースＤを従来の技術に比較して極小にすることができ、冷凍・空調装置筐体内の圧縮機の占有配置領域を狭め、冷凍・空調装置筐体の小型省スペース化に有利な圧縮機の取付構造を提供することができる。
【００１７】
さらには、第１の圧縮機Ａおよび第２の圧縮機Ｂの２台の圧縮機が、各々の密閉容器２に溶接具備された取付脚３を共有して一体的に連結固定されているので、冷凍・空調装置筐体側の底板４への取付設置が、従来の技術図５による圧縮機２台の取付設置に対して容易であり、組立作業性も向上させることができる。
〔実施例２〕
次に本発明の第２の実施例を、図２を用いて説明する。図２は、本発明の第２の実施例に係わる横置型圧縮機２台を、第１の圧縮機に対して第２の圧縮機が、垂直上方に背負い式に配置、取付けられた圧縮機の取付構造を示す（Ｅ）正面図、（Ｆ）左側面図である。
【００１８】
本実施例における横置型圧縮機２台の取付構造は、第１の圧縮機Ａの外殻をなす密閉容器２に溶接具備された取付脚３を、前記密閉容器２の上方に、垂直平行に増設具備されている。この第１の圧縮機Ａの冷凍・空調装置筐体側の底板４への取付固定は従来の技術で説明した図３および図４と同一である。次に第２の圧縮機Ｂは、従来の技術で説明した図３の圧縮機と同一形態を成す圧縮機であり、第１の圧縮機Ａに対して垂直上方に、従来の技術で説明した図３および図４と同等のバネ又はクッションゴム等による円筒状の弾性支持部材６を介在させて配置、取付けられている。冷凍・空調装置筐体側の底板４に溶接具備された固定支持棒５は、第２の圧縮機Ｂを取付位置保持するに十分な上方位置に延長されている。本実施例は、冷凍・空調装置筐体の高さ方向の、圧縮機を含むサイクル部品の配置、設計上の拘束条件が少ない場合により効果的である。
【００１９】
以上のような各実施例において、冷凍・空調装置の能力、運転モードに対応して第１の圧縮機Ａと第２の圧縮機Ｂの能力仕様は同一であっても良い。
【００２０】
また、冷凍・空調装置の能力、運転モードに対応して第１の圧縮機Ａと第２の圧縮機Ｂの能力仕様は異なる能力仕様であっても良い。
【００２１】
また、第１の圧縮機Ａと第２の圧縮機Ｂの取付固定で介在されるバネ又はクッションゴム等による円筒状の弾性支持部材６は、第１の圧縮機Ａ、第２の圧縮機Ｂの場合で各々その弾性力を変えても良い。
【００２２】
また、圧縮機Ａ、Ｂの外殻をなす密閉容器２に溶接具備された取付脚３と、弾性支持部材６および弾性支持棒５からなる取付構成部位置を２箇所設置としたが、３箇所以上の複数箇所設置しても良い。
【００２３】
【発明の効果】
以上詳細に説明したように、本発明によれば、横置型圧縮機の取付構造に係わる部品等の容易な変更のみで圧縮機２台の間に存在するスペースを極力小さくして、冷凍・空調装置筐体内の圧縮機の占有配置領域を狭め、冷凍・空調装置筐体の小型省スペース化に有利な横置型圧縮機の取付構造を提供することができる。
【図面の簡単な説明】
【図１】本発明の第１の実施例に係る横置型圧縮機２台を水平方向横列に配置し、圧縮機２台が取付脚を共有して一体的に連結固定された圧縮機の取付構造を示す（Ｅ）正面図、（Ｆ）左側面図である。
【図２】本発明の第２の実施例に係わる横置型圧縮機２台を、第１の圧縮機に対して第２の圧縮機が、垂直上方に背負い式に配置、取付けられた圧縮機の取付構造を示す（Ｅ）正面図、（Ｆ）左側面図である。
【図３】従来例の横置型圧縮機の取付構造を示す（Ｅ）正面図、（Ｆ）左側面図である。
【図４】図３の圧縮機を正面から見た取付構造部の部分断面図である。
【図５】従来例の図３、図４の横置型圧縮機の取付構造にて、第１の圧縮機Ａと第２の圧縮機Ｂの圧縮機２台を水平方向横列に配置取付けした正面図である。
【符号の説明】
１…圧縮機、２…密閉容器、３…取付脚、３ａ…取付孔、４…冷凍・空調装置筐体側の底板、５…固定支持棒、６…弾性支持部材、６ａ…貫通孔、６ｂ…凹部、６ｃ…角部、Ａ…第１の圧縮機、Ｂ…第２の圧縮機、Ｃ，Ｄ…スペース。
【図１】
2004360928.tif 000003
【図２】
2004360928.tif 000004
【図３】
2004360928.tif 000005
【図４】
2004360928.tif 000006
【図５】
2004360928.tif 000007